【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】
無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
前記シリアルデータを入力し予め設定されたインタフェース条件の入出力回路を介して制御信号を出力する信号入出力部と、
該信号入出力部と該電気機器とを接続する外部機器接続端子部と
を具備し、
前記信号入出力部は、
前記設定されたインタフェース条件の入出力回路と、
該入出力回路をオン／オフする第１のスイッチと、
外部からの光データを電気的シリアルデータに変換する光素子回路と、
該光素子回路をオン／オフする第２のスイッチと
を備え、
前記データ処理／制御部は、
電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの記憶内容の読み出し書き込みを行って通常動作のための初期設定を行い、前記所定の時間内に前記光入力装置の接続を示す応答がないときは該光素子回路の動作を停止させ、前記ＩＤ−ＲＯＭから前記設定された記憶内容を読み出し該記憶内容に対応する前記第１のスイッチをオンにして前記入出力回路を動作状態に設定し、前記受信したデータに対応する制御信号を前記電気機器に与えるように構成されたことを特徴とする無線呼出受信機ユニット。
【請求項２】
前記信号入出力部の入出力回路は、シリアルデータオープンコレクタ入出力回路、シリアルデータＲＳ２３２Ｃ入出力回路、フォトカプラを介したシリアルデータ入出力回路およびシリアルデータをパラレルデータに変換するシリアル／パラレル変換入出力回路のいずれかであることを特徴とする請求項１記載の無線呼出受信機ユニット。
【請求項３】
無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
前記シリアルデータを入力し予め選択し設定されたインタフェース条件の入出力回路を介して制御信号を出力する信号入出力部と、
該信号入出力部と該電気機器とを接続する外部機器接続端子部と
を具備し、
前記信号入出力部は、
互いにインタフェース条件の相異なる複数の入出力回路と、
該複数の入出力回路のそれぞれをオン／オフする複数の第１のスイッチと、
外部からの光データを電気的シリアルデータに変換する光素子回路と、
該光素子回路をオン／オフする第２のスイッチと
を備え、
前記データ処理／制御部は、
電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの所定のエリアに対する記憶内容の読み出し書き込みを行って前記信号入出力部の複数の入出力回路のうちの１つを選択して通常動作のための初期設定を行い、前記所定の時間内に前記光素子回路に前記光入力装置の接続を示す応答がないときは該光素子回路の動作を停止させ、前記ＩＤ−ＲＯＭから前記設定された記憶内容を読み出し該記憶内容に対応する前記複数の第１のスイッチの１つをオンにして対応する入出力回路を動作状態に設定し、前記受信したデータに対応する制御信号を前記電気機器に与えるように構成されたことを特徴とする無線呼出受信機ユニット。
【請求項４】
無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
前記データ処理／制御部の出力を入力とし予め選択し設定されたインタフェース条件の入出力回路を介して第１の制御信号を出力する信号入出力部と、
前記データ処理／制御部の出力を入力とし予め選択し設定されたＨＡ端子用インタフェースユニットまたは８ＣＨオープンコレクタ出力回路のいずれかから第２の制御信号を出力する外部制御部と、
前記信号入出力部および前記外部制御部と前記電気機器とを接続する外部機器接続端子部と
を具備し、
前記信号入出力部は、
互いにインタフェース条件の相異なる複数の入出力回路と、
該複数の入出力回路のそれぞれをオン／オフする複数の第１のスイッチと、
外部からの光データを電気的シリアルデータに変換する光素子回路と、
該光素子回路をオン／オフする第２のスイッチと
を備え、
前記データ処理／制御部は、
電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの所定のエリアに対する記憶内容の読み出し書き込みを行って前記信号入出力部の複数の入出力回路のうちの１つを選択するとともに外部制御部の前記選択を行って通常動作のための初期設定を行い、前記所定の時間内に前記光素子回路に前記光入力装置の接続を示す応答がないときは該光素子回路の動作を停止させ、前記ＩＤ−ＲＯＭから前記設定された記憶内容を読み出し該記憶内容に対応する前記設定された入出力回路の第１のスイッチをオンにして対応する入出力回路を動作状態に設定するとともに前記外部制御部のＨＡ端子用インタフェースユニットまたは８ＣＨオープンコレクタ出力回路のいずれか設定された方を動作状態に設定して、前記受信したデータによる制御信号を前記電気機器に与えるように構成されたことを特徴とする無線呼出受信機ユニット。
【請求項５】
前記信号入出力部の互いにインタフェース条件の相異なる複数の入出力回路は、シリアルデータオープンコレクタ入出力回路、シリアルデータＲＳ２３２Ｃ入出力回路、フォトカプラを介したシリアルデータ入出力回路およびシリアルデータをパラレルデータに変換するシリアル／パラレル変換入出力回路のうち任意の２つ以上を備えていることを特徴とする請求項３または４に記載の無線呼出受信機ユニット。
【請求項６】
前記データ処理／制御部は、前記信号入出力部から出力させる制御信号のデータ論理を、正論理または負論理で出力させるようにしたことを特徴とする請求項１、２、３または４に記載の無線呼出受信機ユニット。
【請求項７】
前記信号入出力部は、前記外部機器接続端子部に接続されたパソコンまたは電気機器のマイコンから予め当該受信機用に定義されたコマンドが入力されたとき前記データ処理／制御部に該コマンドを入力して当該受信機の動作条件を変更するように構成されたことを特徴とする請求項１、２、３または４に記載の無線呼出受信機ユニット。
【請求項８】
無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
外部からの光データを電気的シリアルデータに変換して前記データ処理／制御部に入力する光素子回路と該光素子回路をオン／オフするスイッチとが設けられた信号入出力部と、
前記データ処理／制御部からの出力が入力されＨＡ端子用インタフェースユニットと８ＣＨオープンコレクタ出力回路のいずれかから制御信号を出力する外部制御部と、
前記外部制御部と前記電気機器とを接続する外部機器接続端子部と
を具備し、
前記データ処理／制御部は、
電源が投入されると前記信号入出力部のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの所定のエリアに対する記憶内容の読み出し書き込みを行って前記外部制御部のＨＡ端子用インタフェースユニットまたは８ＣＨオープンコレクタ出力回路のいずれかを選択する初期設定を行い、前記所定の時間内に前記光素子回路に前記光入力装置の接続を示す応答がないときは該光素子回路の動作を停止させ、前記ＩＤ−ＲＯＭから前記設定された記憶内容を読み出し前記外部制御部のＨＡ端子用インタフェースユニットまたは８ＣＨオープンコレクタ出力回路のいずれか設定された方を動作状態に設定して前記受信データによる制御信号を前記電気機器に与えるように構成されたことを特徴とする無線呼出受信機ユニット。
【請求項９】
無線呼出システムの基地局からの電波を受信し、この受信した電波に含まれるデータによって所望の電気機器の動作を遠隔制御するため該電気機器に搭載される無線呼出受信機ユニットであって、
プリント基板と、
シートカバーと
を具備し、
前記プリント基板には、
受信電波を復調復号して個別選択呼出番号とそれに続くデータデータを得る受信復調復号手段と、
前記受信復調復号手段により得られた個別選択呼出番号が予め記憶された自己の番号と一致した場合に、前記個別選択呼出番号に続くデータを処理してシリアルデータを出力するデータ処理／制御部と、
ＩＤ−ＲＯＭと、
前記データ処理／制御部の出力を入力とし予め選択し設定されたインタフェース条件の入出力回路を介して制御信号を出力する信号入出力部と、
前記データ処理／制御部の出力を入力とし予め選択し設定されたＨＡ端子用インタフェースユニットまたは８ＣＨオープンコレクタ出力回路のいずれかから制御信号を出力する外部制御部と、
前記信号入出力部および前記外部制御部と当該電気機器とを接続する外部機器接続端子部と、
内部アンテナ又は外部アンテナ取付け端子と
が実装され、
前記シートカバーは、前記外部機器接続端子部と内部アンテナ又は外部アンテナ取付け端子を除く前記他の構成部品の上を覆い着脱可能に構成されていることを特徴とする無線呼出受信機ユニット。
【手続補正２】
【補正対象書類名】明細書
【補正対象項目名】０００７
【補正方法】変更
【補正の内容】
【０００７】
【課題を解決するための手段】
この発明の無線呼出受信機ユニットは、無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、前記受信復調復号手段により得られた個別選択呼出番号が予め記憶された自己の番号と一致した場合に、前記個別選択呼出番号に続くデータを処理してシリアルデータを出力するデータ処理／制御部と、ＩＤ−ＲＯＭと、前記シリアルデータを入力し予め設定されたインタフェース条件の入出力回路を介して制御信号を出力する信号入出力部と、該信号入出力部と該電気機器とを接続する外部機器接続端子部とを具備している。
前記信号入出力部は、前記設定されたインタフェース条件の入出力回路と、該入出力回路をオン／オフする第１のスイッチと、外部からの光データを電気的シリアルデータに変換する光素子回路と、該光素子回路をオン／オフする第２のスイッチとを備える。そして、前記データ処理／制御部は、電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの記憶内容の読み出し書き込みを行って通常動作のための初期設定を行い、前記所定の時間内に前記光入力装置の接続を示す応答がないときは該光素子回路の動作を停止させ、前記ＩＤ−ＲＯＭから前記設定された記憶内容を読み出し該記憶内容に対応する前記第１のスイッチをオンにして前記入出力回路を動作状態に設定し、前記受信したデータに対応する制御信号を前記電気機器に与えるように構成されたことを特徴とするものである。
前記信号入出力部の入出力回路は、シリアルデータオープンコレクタ入出力回路、シリアルデータＲＳ２３２Ｃ入出力回路、フォトカプラを介したシリアルデータ入出力回路およびシリアルデータをパラレルデータに変換するシリアル／パラレル変換入出力回路のいずれかであることを特徴とする。
【手続補正３】
【補正対象書類名】明細書
【補正対象項目名】０００８
【補正方法】変更
【補正の内容】
【０００８】
また、この発明の無線呼出受信機ユニットは、無線呼出システムの基地局からの電波を受信し、この受信した電波に含まれるデータによって所望の電気機器の動作を遠隔制御するため該電気機器に搭載される無線呼出受信機ユニットであって、
前記受信した電波を復調復号して個別選択呼出番号とそれに続くデータを得る受信復調復号手段と、前記受信復調復号手段により得られた個別選択呼出番号が予め記憶された自己の番号と一致した場合に、前記個別選択呼出番号に続くデータを処理してシリアルデータを出力するデータ処理／制御部と、ＩＤ−ＲＯＭと、前記データ処理／制御部の出力を入力とし予め選択し設定されたインタフェース条件の入出力回路を介して第１の制御信号を出力する信号入出力部と、前記データ処理／制御部の出力を入力とし予め選択し設定されたＨＡ端子用インタフェースユニットまたは８ＣＨオープンコレクタ出力回路のいずれかから第２の制御信号を出力する外部制御部と、前記信号入出力部および前記外部制御部と前記電気機器とを接続する外部機器接続端子部とを具備する。
前記信号入出力部は、互いにインタフェース条件の相異なる複数の入出力回路と、該複数の入出力回路のそれぞれをオン／オフする複数の第１のスイッチと、外部からの光データを電気的シリアルデータに変換する光素子回路と、該光素子回路をオン／オフする第２のスイッチとを備える。そして、前記データ処理／制御部は、電源が投入されると前記信号入出力部の第２のスイッチをオンにして前記光素子回路の動作を開始させ、所定の時間内に該光素子回路に外部からの光データを入力する光入力装置が接続されたことを示す応答があったとき該光素子回路の動作状態を保持し、該光入力装置からの光データによって前記ＩＤ−ＲＯＭの所定のエリアに対する記憶内容の読み出し書き込みを行って前記信号入出力部の複数の入出力回路のうちの１つを選択するとともに外部制御部の前記選択を行って通常動作のための初期設定を行い、前記所定の時間内に前記光素子回路に前記光入力装置の接続を示す応答がないときは該光素子回路の動作を停止させ、前記ＩＤ−ＲＯＭから前記設定された記憶内容を読み出し該記憶内容に対応する前記設定された入出力回路の第１のスイッチをオンにして対応する入出力回路を動作状態に設定するとともに前記外部制御部のＨＡ端子用インタフェースユニットまたは８ＣＨオープンコレクタ出力回路のいずれか設定された方を動作状態に設定して、前記受信したデータによる制御信号を前記電気機器に与えるように構成されたことを特徴とするものである。